(57)【要約】【課題】  中吊り広告が有する強烈な印象を生かすことにより、ディジタルコンテンツの利用促進を図る。【解決手段】  仮想空間内に、複数の表示領域を有し各表示領域にそれぞれ異なる記事見出しが印刷されている広告用印刷物と相似形の画像を形成し、その画像の全部または一部を画面に表示する表示部２と、ユーザの操作を受け付けて、入力信号を発生する入力部３と、前記入力部３で発生した入力信号に応じて前記画面上で移動表示および停止表示が可能な選択図形を停止表示させることによって、前記画面に表示されたいずれか一つの前記表示領域を選択する選択部４と、前記入力部３で発生した入力信号に基づいて、前記広告コンテンツデータから前記選択した表示領域に関連付けられている情報を取得する取得部５と、を備える。【選択図】  図１
2006145908.tif 000002
【特許請求の範囲】
【請求項１】
無線通信ネットワークを介して広告コンテンツデータを格納するサーバ装置から取得した広告コンテンツデータに基づいて、仮想空間内に、複数の表示領域を有し各表示領域にそれぞれ異なる記事見出しが印刷されている広告用印刷物と相似形の画像を形成し、その画像の全部または一部を画面に表示する表示部と、
ユーザの操作を受け付けて、入力信号を発生する入力部と、
前記入力部で発生した入力信号に応じて前記画面上で移動表示および停止表示が可能な選択図形を停止表示させることによって、前記画面に表示されたいずれか一つの前記表示領域を選択する選択部と、
前記入力部で発生した入力信号に基づいて、前記広告コンテンツデータから前記選択した表示領域に関連付けられている情報を取得する取得部と、を備えることを特徴とする携帯端末装置。
【請求項２】
前記表示部は、前記広告用印刷物と概略同一の配色を有する画像を形成することを特徴とする請求項１記載の携帯端末装置。
【請求項３】
前記表示部は、前記入力信号に基づいて、前記選択図形の移動表示に追従するように前記画像を縦方向、横方向または斜め方向にスクロール表示することを特徴とする請求項１または請求項２記載の携帯端末装置。
【請求項４】
前記広告コンテンツデータは、ベクトル形式で構成されていることを特徴とする請求項１から請求項３のいずれかに記載の携帯端末装置。
【請求項５】
前記表示領域に関連付けられている情報は、ＵＲＬ情報であることを特徴とする請求項１から請求項４のいずれかに記載の携帯端末装置。
【請求項６】
前記ＵＲＬ情報に基づくＵＲＬへ接続する接続部をさらに備え、
前記取得部は、前記接続した記事コンテンツデータを格納するサーバ装置から記事コンテンツデータを取得し、
前記表示部は、前記取得した記事コンテンツデータを画面に表示することを特徴とする請求項５記載の携帯端末装置。
【請求項７】
無線通信ネットワークを介して広告コンテンツデータを格納するサーバ装置から広告コンテンツデータを取得する処理と、
仮想空間内に、複数の表示領域を有し各表示領域にそれぞれ異なる記事見出しが印刷されている広告用印刷物と相似形の画像を形成する処理と、
前記形成した画像の全部または一部を画面に表示する処理と、
ユーザの操作を受け付けて、入力信号を発生する処理と、
入力信号に応じて前記画面上で移動表示および停止表示が可能な選択図形を停止表示させることによって、前記画面に表示されたいずれか一つの前記表示領域を選択する処理と、
入力信号に基づいて、前記広告コンテンツデータから前記選択した表示領域に関連付けられている情報を取得する処理と、を含む一連の処理をコンピュータ読み取り、実行可能にコマンド化させたことを特徴とする携帯端末装置の制御プログラム。
【発明の詳細な説明】
【技術分野】
【０００１】
本発明は、広告用印刷物の画像を画面に表示する携帯端末装置および携帯端末装置の制御プログラムに関する。
【背景技術】
【０００２】
従来から、電車等の公共交通機関の車内には、いわゆる「中吊り広告」が掲示されている。この中吊り広告は、乗客らに対する単なる広告宣伝の提供のみに留まらず、社会情勢や文化のトレンド等を簡便に伝達するなど様々な役割を果たす重要なメディアとなっている。
【０００３】
このような中吊り広告に関しては、多くの技術的な提案がなされている。例えば、特開２００４−２９５５８４号公報には、中吊り情報の提供に関して得られる情報を効率的に管理し、管理された情報を中吊り広告に反映させて雑誌の販売を促進させるための中吊り情報提供システムが開示されている。この中吊り情報提供システムは、雑誌に掲載される記事の概要を示す中吊り情報を利用者側端末に提供する。そして、上記の中吊り情報の閲覧を要求した利用者側端末に対し、上記中吊り情報を提供し、上記中吊り情報が閲覧要求された回数を管理している。
【０００４】
また、特開２００４−２５２４９８号公報には、利便性の高い広告配信を行なうと共に、確度の高い広告効果の測定を可能とするための広告管理方法が開示されている。この広告管理方法では、携帯端末において、広告配信契機の到来を検知し、広告配信内容に基づく広告配信要求を広告配信サーバに送信する。そして、この携帯端末は、広告配信サーバより配信される広告情報を受信し、広告情報を出力インターフェイスに出力する。携帯端末において、広告情報に対する出力形態の変更（広告情報の並び替え）または関連情報の取得の要求を入力インターフェイスより受け付けると、上記要求を広告配信サーバに送信する。そして、その要求に応じて広告情報の出力形態を変更するか関連情報を広告配信サーバより受信し、変更した出力形態の広告情報か受信した関連情報を出力インターフェイスに出力する。
【特許文献１】特開２００４−２９５５８４号公報
【特許文献２】特開２００４−２５２４９８号公報
【発明の開示】
【発明が解決しようとする課題】
【０００５】
上記のように、中吊り広告は、単なる広告宣伝の提供のみに留まらず、社会情勢や文化のトレンド等を簡便に伝達するメディアであるが、この役割を十分に果たすために、独特なレイアウトや配色により作られている。すなわち、中吊り広告は、人々の関心を惹き、記載されている情報をより詳しく知りたいという欲求を掻き立てるように構成に工夫が凝らされている。このため、見る者の記憶に残り、その情報が記載されている雑誌等の販売が促進されるのである。
【０００６】
携帯端末装置において雑誌の記事等のデータを配信する場合においても、中吊り広告の効用を生かすことができるはずである。すなわち、携帯端末装置で記事等のデータを配信するサービスを提供する際に、その広告情報を掲載する画面において、単なる文字の羅列ではなく、中吊り広告を利用した画像を画面に表示すれば、ユーザの興味をより強く掻き立てることが可能になると考えられる。上記のように、中吊り広告は、見る者の記憶に残りやすいので、携帯端末装置の画面で中吊り広告と同様な画像が表示されれば、ユーザの記憶を呼び起こし、雑誌の記事データの購買行動につなげることができると考えられる。
【０００７】
本発明は、このような事情に鑑みてなされたものであり、中吊り広告が有する強烈な印象を生かすことにより、ディジタルコンテンツの利用促進を図ることができる携帯端末装置および携帯端末装置の制御プログラムを提供することを目的とする。
【課題を解決するための手段】
【０００８】
（１）上記の目的を達成するため、本発明は、以下のような手段を講じた。すなわち、本発明に係る携帯端末装置は、無線通信ネットワークを介して広告コンテンツデータを格納するサーバ装置から取得した広告コンテンツデータに基づいて、仮想空間内に、複数の表示領域を有し各表示領域にそれぞれ異なる記事見出しが印刷されている広告用印刷物と相似形の画像を形成し、その画像の全部または一部を画面に表示する表示部と、ユーザの操作を受け付けて、入力信号を発生する入力部と、前記入力部で発生した入力信号に応じて前記画面上で移動表示および停止表示が可能な選択図形を停止表示させることによって、前記画面に表示されたいずれか一つの前記表示領域を選択する選択部と、前記入力部で発生した入力信号に基づいて、前記広告コンテンツデータから前記選択した表示領域に関連付けられている情報を取得する取得部と、を備えることを特徴としている。
【０００９】
このように、仮想空間内に、複数の広告表示領域を有し、各広告表示領域にそれぞれ異なる広告情報が印刷されている広告用印刷物と相似形の画像を形成し、その画像の全部または一部を画面に表示するので、ユーザに対して、広告用印刷物と同様の印象を与えることが可能となり、各広告情報についてのユーザの興味をより強く掻き立てることが可能になる。さらに、選択図形を画面上で停止表示させることによって、いずれか一つの広告表示領域の画像を選択可能とし、入力部で発生した入力信号に基づいて、広告コンテンツデータから選択した表示領域に関連付けられている情報、例えば、ディジタルコンテンツのアドレスであるＵＲＬ情報やディジタルコンテンツそのものを取得するので、広告用印刷物の画面からディジタルコンテンツへ誘導することが可能となる。その結果、広告されているリアル商品の販売促進のみならず、ディジタルコンテンツの需要を喚起することが可能となる。なお、ディジタルコンテンツは、ＵＲＬ情報に基づいて配信されるものでも良いし、予め携帯端末装置内で記憶されているものであっても良い。また、携帯端末装置に着脱自在な外部メモリに記憶されているものであっても良い。
【００１０】
（２）また、本発明に係る携帯端末装置において、前記表示部は、前記広告用印刷物と概略同一の配色を有する画像を形成することを特徴としている。
【００１１】
このように、広告用印刷物と概略同一の配色を有する画像を形成するので、ユーザに対し、広告用印刷物と同様の印象を与えることができる。また、リアルの広告用印刷物を見たユーザに対しては、その記憶を呼び起こし、広告情報に対する興味を掻き立てることが可能となる。
【００１２】
（３）また、本発明に係る携帯端末装置において、前記表示部は、前記入力信号に基づいて、前記選択図形の移動表示に追従するように前記画像を縦方向、横方向または斜め方向にスクロール表示することを特徴としている。
【００１３】
このように、入力信号に基づいて、選択図形の移動表示と追従するように前記画像を縦方向、横方向または斜め方向にスクロール表示するので、広告用印刷物と相似形であることを維持しつつ、画面上で任意の位置の画像を表示させることができる。これにより、画面から外れていた画像を表示させることが可能となる。すなわち、一画面で表示可能な広告表示領域の数は表示部の倍率または解像度に応じて決まる。本発明では、画像が広告用印刷物と相似形であることに意義を有するため、複数のページに分割して一ページごとに表示する場合のように、画像の構成を壊すことは望ましくない。そこで、選択図形の移動表示と追従するように画像を縦方向、横方向または斜め方向にスクロール表示することにより、それまで隠れていた画像を画面に表示することを可能とし、広告用印刷物の効用を十分に発揮させることが可能となる。
【００１４】
（４）また、本発明に係る携帯端末装置において、前記広告コンテンツデータは、ベクトル形式で構成されていることを特徴としている。
【００１５】
このように、広告コンテンツデータがベクトル形式で構成されているので、データ量を小さくすることができる。これにより、スループットを向上させ、コンテンツデータの取得開始から画面表示までを迅速に行なうことが可能となる。
【００１６】
（５）また、本発明に係る携帯端末装置において、前記表示領域に関連付けられている情報は、ＵＲＬ情報であることを特徴としている。
【００１７】
このように、表示領域に関連付けられている情報は、ＵＲＬ情報であるので、ディジタルコンテンツを格納している遠隔地にあるインターネットに接続するサーバなどから、ディジタルコンテンツデータを取得することができる。
【００１８】
（６）また、本発明に係る携帯端末装置は、前記ＵＲＬ情報に基づくＵＲＬへ接続する接続部をさらに備え、前記取得部は、前記接続した記事コンテンツデータを格納するサーバ装置から記事コンテンツデータを取得し、前記表示部は、前記取得した記事コンテンツデータを画面に表示することを特徴としている。
【００１９】
このように、ＵＲＬで特定される記事コンテンツデータを格納するサーバ装置から記事コンテンツデータを取得し、画面に表示するので、広告用印刷物の画像から記事コンテンツデータへ誘導することが可能となる。その結果、雑誌や書籍等の内容を有する電子書籍についての配信サービスを実現し、普及させることが可能となる。
【００２０】
（７）また、本発明に係る携帯端末装置の制御プログラムは、無線通信ネットワークを介して広告コンテンツデータを格納するサーバ装置から広告コンテンツデータを取得する処理と、仮想空間内に、複数の表示領域を有し各表示領域にそれぞれ異なる記事見出しが印刷されている広告用印刷物と相似形の画像を形成する処理と、前記形成した画像の全部または一部を画面に表示する処理と、ユーザの操作を受け付けて、入力信号を発生する処理と、入力信号に応じて前記画面上で移動表示および停止表示が可能な選択図形を停止表示させることによって、前記画面に表示されたいずれか一つの前記表示領域を選択する処理と、入力信号に基づいて、前記広告コンテンツデータから前記選択した表示領域に関連付けられている情報を取得する処理と、を含む一連の処理をコンピュータ読み取り、実行可能にコマンド化させたことを特徴としている。
【００２１】
このように、仮想空間内に、複数の広告表示領域を有し、各広告表示領域にそれぞれ異なる広告情報が印刷されている広告用印刷物と相似形の画像を形成し、その画像の全部または一部を画面に表示するので、ユーザに対して、広告用印刷物と同様の印象を与えることが可能となり、各広告情報についてのユーザの興味をより強く掻き立てることが可能になる。さらに、選択図形を画面上で停止表示させることによって、いずれか一つの広告表示領域の画像を選択可能とし、入力部で発生した入力信号に基づいて、広告コンテンツデータから選択した表示領域に関連付けられている情報、例えば、ディジタルコンテンツのアドレスであるＵＲＬ情報やディジタルコンテンツそのものを取得するので、広告用印刷物の画面からディジタルコンテンツへ誘導することが可能となる。その結果、広告されているリアル商品の販売促進のみならず、ディジタルコンテンツの需要を喚起することが可能となる。なお、ディジタルコンテンツは、ＵＲＬ情報に基づいて配信されるものでも良いし、予め携帯端末装置内で記憶されているものであっても良い。また、携帯端末装置に着脱自在な外部メモリに記憶されているものであっても良い。
【発明の効果】
【００２２】
本発明に係る携帯端末装置によれば、仮想空間内に、複数の広告表示領域を有し、各広告表示領域にそれぞれ異なる広告情報が印刷されている広告用印刷物と相似形の画像を形成し、その画像の全部または一部を画面に表示するので、ユーザに対して、広告用印刷物と同様の印象を与えることが可能となり、各広告情報についてのユーザの興味をより強く掻き立てることが可能になる。さらに、選択図形を画面上で停止表示させることによって、いずれか一つの広告表示領域の画像を選択可能とし、入力部で発生した入力信号に基づいて、広告コンテンツデータから選択した表示領域に関連付けられている情報、例えば、ディジタルコンテンツのアドレスであるＵＲＬ情報やディジタルコンテンツそのものを取得するので、広告用印刷物の画面からディジタルコンテンツへ誘導することが可能となる。その結果、広告されているリアル商品の販売促進のみならず、ディジタルコンテンツの需要を喚起することが可能となる。
【００２３】
また、本発明に係る携帯端末装置によれば、広告用印刷物と概略同一の配色を有する画像を形成するので、ユーザに対し、広告用印刷物と同様の印象を与えることができる。また、リアルの広告用印刷物を見たユーザに対しては、その記憶を呼び起こし、広告情報に対する興味を掻き立てることが可能となる。
【００２４】
また、本発明に係る携帯端末装置によれば、入力信号に基づいて、選択図形の移動表示と追従するように前記画像を縦方向、横方向または斜め方向にスクロール表示するので、広告用印刷物と相似形であることを維持しつつ、画面上で任意の位置の画像を表示させることができる。これにより、画面から外れていた画像を表示させることが可能となる。すなわち、一画面で表示可能な広告表示領域の数は表示部の倍率または解像度に応じて決まる。本発明では、画像が広告用印刷物と相似形であることに意義を有するため、複数のページに分割して一ページごとに表示する場合のように、画像の構成を壊すことは望ましくない。そこで、選択図形の移動表示と追従するように画像を縦方向、横方向または斜め方向にスクロール表示することにより、それまで隠れていた画像を画面に表示することを可能とし、広告用印刷物の効用を十分に発揮させることが可能となる。
【００２５】
また、本発明に係る携帯端末装置によれば、広告コンテンツデータがベクトル形式で構成されているので、データ量を小さくすることができる。これにより、スループットを向上させ、コンテンツデータの取得開始から画面表示までを迅速に行なうことが可能となる。
【００２６】
また、本発明に係る携帯端末装置によれば、表示領域に関連付けられている情報は、ＵＲＬ情報であるので、サーバなどのディジタルコンテンツを格納している遠隔地から、ディジタルコンテンツデータを取得することができる。
【００２７】
また、本発明に係る携帯端末装置によれば、ＵＲＬで特定される記事コンテンツデータを格納するサーバ装置から記事コンテンツデータを取得し、画面に表示するので、広告用印刷物の画像から記事コンテンツデータへ誘導することが可能となる。その結果、雑誌や書籍等の内容を有する電子書籍についての配信サービスを実現し、普及させることが可能となる。
【００２８】
また、本発明に係る携帯端末装置の制御プログラムによれば、仮想空間内に、複数の広告表示領域を有し、各広告表示領域にそれぞれ異なる広告情報が印刷されている広告用印刷物と相似形の画像を形成し、その画像の全部または一部を画面に表示するので、ユーザに対して、広告用印刷物と同様の印象を与えることが可能となり、各広告情報についてのユーザの興味をより強く掻き立てることが可能になる。さらに、選択図形を画面上で停止表示させることによって、いずれか一つの広告表示領域の画像を選択可能とし、入力部で発生した入力信号に基づいて、広告コンテンツデータから選択した表示領域に関連付けられている情報、例えば、ディジタルコンテンツのアドレスであるＵＲＬ情報やディジタルコンテンツそのものを取得するので、広告用印刷物の画面からディジタルコンテンツへ誘導することが可能となる。その結果、広告されているリアル商品の販売促進のみならず、ディジタルコンテンツの需要を喚起することが可能となる。
【発明を実施するための最良の形態】
【００２９】
本発明者は、電車などの公共交通機関で使用されている中吊り広告が見る者に対して強烈な印象を与えることに着目し、中吊り広告と相似形な画像を携帯電話機の画面に表示させ、各広告表示領域とその記事内容のデータとをリンクさせることによって、中吊り広告と同様な広告効果を発揮させ、記事の切り売りに関するビジネスを活性化させることができることを見出し、本発明をするに至った。
【００３０】
すなわち、本発明は、無線通信ネットワークを介して広告コンテンツデータを格納するサーバ装置から取得した広告コンテンツデータに基づいて、仮想空間内に、複数の表示領域を有し各表示領域にそれぞれ異なる記事見出しが印刷されている広告用印刷物と相似形の画像を形成し、その画像の全部または一部を画面に表示する表示部と、ユーザの操作を受け付けて、入力信号を発生する入力部と、前記入力部で発生した入力信号に応じて前記画面上で移動表示および停止表示が可能な選択図形を停止表示させることによって、前記画面に表示されたいずれか一つの前記表示領域を選択する選択部と、前記入力部で発生した入力信号に基づいて、前記広告コンテンツデータから前記選択した表示領域に関連付けられている情報を取得する取得部と、を備えることを特徴としている。
【００３１】
これにより、本発明者は、携帯端末装置に表示する画像によって、ユーザに対して、広告用印刷物と同様の印象を与え、各広告情報についてのユーザの興味をより強く掻き立てることを可能とした。さらに、広告用印刷物の画面から各コンテンツへ誘導することによって、広告されているリアル商品の販売促進のみならず、ディジタルコンテンツの需要を喚起することを可能とした。以下、本発明の実施の形態について、図面を参照して説明する。
【００３２】
図１は、本実施の携帯に係る携帯電話機の概略構成を示すブロック図である。携帯電話機１は、表示部２において、動画または静止画を表示する。すなわち、表示部２は、仮想空間内に画像を形成し、その画像の全部または一部を画面に表示する。本実施の形態では、広告コンテンツデータに基づいて、広告用印刷物と相似形の画像を形成して、画面に表示するものとする。図２に示すように、広告用印刷物４０は、複数の広告表示領域４０ａ〜４０ｄを有しており、各広告表示領域４０ａ〜４０ｄにそれぞれ異なる広告情報が印刷されている。この広告用印刷物は、例えば、電車の車内で使用される雑誌・書籍を広告するための中吊り広告に該当する。
【００３３】
広告用印刷物と相似形の画像であるため、縦横比はもとの広告用印刷物と同一である。また、表示部２で形成される画像は、広告用印刷物と概略同一の配色を有する。概略同一とは、印刷物と、液晶などで表示する画面とでは必ずしも完全に同一の色とはならないが、見る者に対して同一の印象を与える限りにおいて同一であるという意味である。さらに、本実施の形態では、広告用印刷物の画像の各広告表示領域には、その広告の詳細データ（例えば、記事コンテンツデータ）が格納されているインターネット上の場所を示すＵＲＬが対応付けられている。従って、いずれか一つの広告表示領域を選択し、決定すると、ＵＲＬにより特定されるサーバから記事コンテンツデータがダウンロードされ、表示部２に表示されることとなる。なお、ＵＲＬは、Ｕｎｉｆｏｒｍ  Ｒｅｓｏｕｒｃｅ  Ｌｏｃａｔｏｒの略で、インターネット上にある様々な情報に付されたアドレスのことである。「ｈｔｔｐ：／／・・・」という記述で表わされる。
【００３４】
表示部２は、ベクトル形式で構成されるデータ、例えば、Ｆｌａｓｈを用いて、広告用印刷物と相似形で概略同一の配色を有する画像を形成することができる。このＦｌａｓｈとは、Ｗｅｂブラウザの拡張機能の１つである。Ｆｌａｓｈは、ベクター・グラフィックスやアニメーションを作成するためのマイクロメディアインコーポレイテッドが提供しているアプリケーション（オーサリング・ツール）である。Ｆｌａｓｈファイルは、Ｆｌａｓｈ  Ｐｌａｙｅｒ（プラグイン）で再生可能となっている。次に、このＦｌａｓｈの概要について説明する。
【００３５】
Ｆｌａｓｈは、Ｊａｖａ（登録商標）アプレットと比較して、動作が非常に軽く、計算機資源を浪費しないことや、Ｌｉｎｕｘ用のＭａｃｒｏｍｅｄｉａ純正プレイヤーがＦｒｅｅＢＳＤやＮｅｔＢＳＤでも動作するようになったことから、対話的なアプリケーションの実行環境として、普及しているものである。
【００３６】
図３は、Ｆｌａｓｈの構造を示す図である。基本となるのは、ＳＷＦＭｏｖｉｅ（Ｓｈｏｃｋｗａｖｅ  Ｆｌａｓｈ  Ｍｏｖｉｅ）クラスのインスタンスである（２０）。このオブジェクトが、ムービーの画像サイズなどを決定する。表示される他のオブジェクトは、すべてＳＷＦＭｏｖｉｅクラスのインスタンスの上に乗る（追加される）こととなる。このＳＷＦＭｏｖｉｅオブジェクト２０に乗せられるオブジェクトには、ＳＷＦＴｅｘｔ２１、ＳＷＦＳｈａｐｅ２２、ＳＷＦＢｕｔｔｏｎ２３ａ、２３ｂなどのクラスのインスタンスがある。それぞれ、文字、画像、ボタンの機能を発揮する。
【００３７】
ＳＷＦＭｏｖｉｅＣｌｉｐクラスは、それ自体がムービーであり、タイムラインを有する。また、ＳＷＦＭｏｖｉｅＣｌｉｐオブジェクト２４ａ、２４ｂに、他のオブジェクトを追加することもできる。ＳＷＦＭｏｖｉｅオブジェクト２４ａ、２４ｂは、タイムラインを有するが、その単位は「フレーム」であり、毎秒表示するフレーム数は、ＳＷＦＭｏｖｉｅ：：ｓｅｔＲａｔｅ（）メソッドで指定することができる。
【００３８】
このようなＳＷＦＭｏｖｉｅオブジェクト２４ａ、２４ｂのタイムラインが、Ｆｌａｓｈムービー全体のタイムラインとなる。ＳＷＦＭｏｖｉｅＣｌｉｐオブジェクト２４ａ、２４ｂのタイムラインは、ＳＷＦＭｏｖｉｅオブジェクト２０のタイムラインとは独立しているが、単位がフレームである点で同じであり、表示速度はＳＷＦＭｏｖｉｅオブジェクト２０で指定した表示速度と同一となる。
【００３９】
すなわち、ＳＷＦＭｏｖｉｅオブジェクト２０を頂点として、その下に木構造状に様々なオブジェクトが連なっている形となる。そしてこれらオブジェクトの位置や大きさ、木構造の構成などがタイムラインに沿って変化していくことで、Ｆｌａｓｈムービーが構成されている。
【００４０】
このように、広告コンテンツデータを、ベクトル形式で構成することにより、データ量を小さくすることができ、スループットを向上させ、コンテンツデータの取得開始から画面表示までを迅速に行なうことが可能となる。
【００４１】
また、図１において、入力部３は、ユーザの操作を受け付けて、入力信号を発生する。より具体的には、操作ボタンや十字キーなどが該当する。選択部４は、入力部３で発生した入力信号に応じて、表示部２の画面上で選択図形を移動表示または停止表示させる。そして、選択図形を画面上で停止表示させることによって、いずれか一つの広告表示領域の画像を選択する。より具体的には、選択図形は、画面上で移動表示および停止表示可能なカーソルやポインタが該当し、選択部は、操作ボタンおよび選択図形が該当する。
【００４２】
また、取得部５は、ＵＲＬ情報取得部５ａにおいて、選択された広告表示領域に関連付けられているＵＲＬ情報を取得する。また、記事コンテンツデータ取得部５ｂにおいて、ＵＲＬ情報取得部５ａが取得したＵＲＬ情報で特定される記事コンテンツデータを取得する。接続部６は、ＵＲＬ情報取得部５ａが取得したＵＲＬ情報に基づいてリンク先へ接続し、そのＵＲＬ情報で特定される記事コンテンツデータを受信する。すなわち、接続部６は、無線信号を送受信することにより、サーバ装置から記事コンテンツデータを受信するのである。なお、ここでは、無線信号を送受信してサーバ装置から記事コンテンツデータを取得した例を示したが、記事コンテンツデータは、記憶部７に記憶されているものであっても良いし、外部記憶装置８に記憶されているものであっても良い。そして、記事コンテンツデータ取得部５ｂが、上記選択された広告表示領域に関連付けられている記事コンテンツデータを記憶部７または外部記憶装置８から取得するようにしても良い。
【００４３】
取得部５によって取得された記事コンテンツデータは、表示部２において、画面に表示される。以上の携帯電話機１の各構成要素は、制御バス９によって相互に接続されている。なお、本実施の形態では、広告コンテンツデータの取得のタイミングは特に限定していない。すなわち、取得部５が、接続部６を介して、広告コンテンツデータを格納するサーバから広告コンテンツデータを取得しても良いし、また、記憶部７または外部記憶装置８に記憶されている広告コンテンツデータを読み出してもよい。
【００４４】
次に、以上のように構成された本実施の形態に係る携帯電話機の動作について、図４に示すフローチャートを用いて説明する。まず、表示部２において、仮想空間内に広告用印刷物と相似形であって、概略同一の配色を有する画像を形成する。広告用印刷物は、図２に示すように、複数の広告表示領域４０ａ〜４０ｄを有しており、各広告表示領域４０ａ〜４０ｄにそれぞれ異なる広告情報が印刷されている。表示部２では、この広告用印刷物と相似形であって、概略同一の配色を有する画像を形成する（ステップＳ１）。次に、この形成した画像の全部または一部を画面に表示する（ステップＳ２）。広告用印刷物のイメージを崩さないために、予め設定されている画面の拡大率に基づいて画像が表示される。この場合、画像のすべてを画面で表示できないときは、図５の中央に示すように、画面４１ａには、広告用印刷物の画像の一部が表示される。
【００４５】
次に、ユーザの操作を受け付けて、選択部としての操作ボタン（図５において４１ｂ）が、入力信号を発生する（ステップＳ３）。そして、入力信号に応じて画面４１ａ上で移動表示および停止表示が可能な選択図形を画面上で停止表示させることによって、いずれか一つの広告表示領域の画像を選択する（ステップＳ４）。すなわち、画面（図５において４１ａ）には、選択図形４１ｃが表示される。図５の中央に示す図では、「ａｕ絶好調！  ＷＩＮ端末ユーザ激増」という記事が記載された広告表示領域が選択されている。
【００４６】
次に、ユーザが上記選択された画像の広告表示領域を決定するために、操作ボタンのいずれか一つを操作すると、決定した旨の入力信号が発生し、この入力信号に基づいて、上記選択された画像の広告表示領域にリンクされている記事コンテンツデータを取得する（ステップＳ５）。すなわち、各広告表示領域の画像には、その広告表示領域に記載されている広告情報の詳細データ（記事コンテンツデータ）が格納されているサーバのインターネット上の場所を示すＵＬＲが対応付けられている。このため、選択図形により選択され、それが決定されると、そのＵＲＬにより特定されるサーバから記事コンテンツデータがダウンロードされるのである。表示部２では、このように取得した（ダウンロードした）記事コンテンツデータを画面に表示する（ステップＳ６）。
【００４７】
なお、上記の選択図形４１ｃは、操作ボタン４１ｂを操作することによって、画面４１ａ上で移動させることができる。そして、入力信号に基づいて、選択図形４１ｃの移動表示と追従するように、画像がスクロール表示される。図５の右側に示すように、選択図形４１ｃを右側へ移動させると、広告用印刷物の画像のうち、画面４１ａ内で表示されていなかった右側の部分が表示されるのである。これにより、画像が、広告用印刷物と相似形であることを維持しつつ、画面から外れていた画像を表示させることが可能となる。
【００４８】
以上のような本発明の特徴的な動作は、プログラムを実行することによって行なわれる。すなわち、このプログラムは、接続部６において、無線通信ネットワークを介して広告コンテンツデータを格納するサーバ装置から広告コンテンツデータを取得する処理と、表示部２において、仮想空間内に、複数の表示領域を有し各表示領域にそれぞれ異なる記事見出しが印刷されている広告用印刷物と相似形の画像を形成する処理と、表示部２において、前記形成した画像の全部または一部を画面に表示する処理と、入力部３において、ユーザの操作を受け付けて、入力信号を発生する処理と、入力部３および選択部４において、入力信号に応じて前記画面上で移動表示および停止表示が可能な選択図形を停止表示させることによって、前記画面に表示されたいずれか一つの前記表示領域を選択する処理と、入力部３からの入力信号に基づいて、取得部５において前記広告コンテンツデータから前記選択した表示領域に関連付けられている情報を取得する処理と、を含む一連の処理をコンピュータ読み取り、実行可能にコマンド化させたことを特徴としている。
【００４９】
このプログラムは、ＣＤ−ＲＯＭやＤＶＤ等の記録媒体に記録された状態で入手することができる。また、このようなプログラムは、ネットワークを構成する公衆電話回線、専用電話回線、ケーブルテレビ回線、無線通信回線等により構成される通信網等の伝送媒体を介して、送信装置であるコンピュータにより送信された信号を受信することで入手することもできる。この信号は、プログラムを含む所定の搬送波に具現化されたコンピュータデータ信号である。この送信の際、伝送媒体中には上記プログラムの少なくとも一部を伝送していればよい。すなわち、上記プログラムを構成するすべてのデータが、一時に伝送媒体上に存在している必要はない。また、上記コンピュータからプログラムを送信する送信方法には、プログラムを構成するデータを連続的に送信する場合も、断続的に送信する場合も含まれる。
【００５０】
以上説明したように、本実施の形態に係る携帯電話機によれば、表示部２において、仮想空間内に、複数の広告表示領域を有し、各広告表示領域にそれぞれ異なる広告情報が印刷されている広告用印刷物と相似形の画像を形成し、その画像の全部または一部を画面に表示するので、ユーザに対して、広告用印刷物と同様の印象を与えることが可能となり、各広告情報についてのユーザの興味をより強く掻き立てることが可能になる。さらに、選択部４および表示部２によって、選択図形を画面上で停止表示させることによって、いずれか一つの広告表示領域の画像を選択可能とし、取得部５が、入力信号に基づいて、その選択された広告表示領域にリンクされているコンテンツデータを取得し、表示部２が、そのコンテンツデータを画面に表示するので、広告用印刷物の画面から各コンテンツへ誘導することが可能となる。その結果、広告されているリアル商品の販売促進のみならず、ディジタルコンテンツの需要を喚起することが可能となる。
【図面の簡単な説明】
【００５１】
【図１】本実施の形態に係る携帯電話機の概略構成を示すブロック図である。
【図２】広告用印刷物（中吊り広告）の構成例を示す図である。
【図３】Ｆｌａｓｈの構成例を示す図である。
【図４】本実施の形態に係る携帯電話機の動作を示すフローチャートである。
【図５】本実施の形態に係る携帯電話機の画面表示例を示す図である。
【符号の説明】
【００５２】
１  携帯電話機
２  表示部
３  入力部
４  選択部
５  取得部
５ａ  ＵＲＬ情報取得部
５ｂ  記事コンテンツデータ取得部
６  接続部
７  記憶部
８  外部記憶装置
９  制御バス
４０  広告用印刷物
４０ａ〜４０ｄ  広告表示領域
４１ａ  画面
４１ｃ  選択図形
４１ｂ  操作ボタン
【図１】
2006145908.tif 000003
【図２】
2006145908.tif 000004
【図３】
2006145908.tif 000005
【図４】
2006145908.tif 000006
【図５】
2006145908.tif 000007